(57)【要約】【課題】従来のホームページ更新方法では表示内容を更新する日時に合わせて更新作業をする必要があり、更新作業自体にも高度な知識が必要であった。また定期的に同じ表示内容のものに更新する際にも毎回更新作業をする必要があり更新に多大なコストと時間が必要であった。【解決手段】ホームページに識別番号付きのコメント文を記述しておく。更新者７は更新情報を格納するデータベース部４に識別番号を伴うホームページ１の一部または全ての更新情報及びその表示期間及び繰り返し表示条件を登録しておく。閲覧者６がホームページ１を閲覧すると表示判定部５が複数の更新情報が格納されているデータベース部４から識別番号と表示期間及び繰り返し表示条件に対応した更新情報をウェブサーバー９に送出するまたはしないことにより、ホームページ１の自動更新を可能にするホームページ予約自動更新システム及びホームページ予約自動更新方法を用いる。【選択図】        図１
2004178329.tif 000002
【特許請求の範囲】
【請求項１】
インターネット上のホームページの一部または全ての更新情報を予め自動更新の対象となるホームページと連動したデータベースに登録しておき、その登録情報に基づいて自動更新するシステムにおいて、インターネット上の自動更新の対象となるホームページに識別番号付きのコメント文を記述する第１工程と、前記ホームページの一部または全ての更新情報を、識別番号と表示期間及び繰り返し表示条件と編集パスワードと共にデータベースに登録する第２工程と、データベースの登録情報が追加、編集、削除された際に更新者または更新者とは別の管理者に電子メールで通知する第３工程と、インターネット上において前記ホームページが閲覧者に呼び出されたときに前記ホームページ内に記述された識別番号付きのコメント文をウェブサーバーのＳＳＩ機能が解釈及び実行し、当該識別番号を変数として表示判定部に引き渡す第４工程と、データベース内にウェブサーバーから引き渡された識別番号を持つ登録情報が存在するかどうか、及び当該識別番号を持つ登録情報が存在した場合は表示期間の設定がされているかどうか、及び当該識別番号を持つ登録情報に表示期間が設定されていた場合閲覧者が前記ホームページにアクセスした日時が表示期間の条件を満たしているかどうかを判定する第５工程と、識別番号及び設定された表示条件を満たしていた場合に、該当する更新情報を送出し前記ホームページの識別番号付きのコメント文が記述されていた部分に表示させ、識別番号及び設定された表示条件を満たしていなかった場合は該当する更新情報を送出しない第６工程と、６段階の工程を特徴とするシステムを用いるホームページ予約自動更新方法。
【請求項２】
インターネット上のホームページの一部または全ての更新情報を予め自動更新の対象となるホームページと連動したデータベースに登録しておき、その登録情報に基づいて自動更新するシステムにおいて、データベースに登録されている任意の表示期間または繰り返し表示条件に応じて前記ホームページを自動更新できることを特徴とするホームページ予約自動更新システム。
【請求項３】
インターネット上のホームページの一部または全ての更新情報を予め自動更新の対象となるホームページと連動したデータベースに登録しておき、その登録情報に基づいて自動更新するシステムにおいて、データベースに登録する任意の表示期間または繰り返し表示条件は設定することもしないことも選択でき、設定する場合は２００２年１２月３日から２００２年１２月５日までの終日、２００２年１２月３日から２００２年１２月５日までの毎日午前６時から午後３時まで、２００２年１２月３日から２００３年３月１０日までの毎週土曜日の終日、２００２年１２月３日から２００３年３月１０日までの毎月５日の終日、２００２年１２月３日から２００３年３月１０日までの毎月末の３日間の終日、期間を指定せずに毎週月曜日の午前６時から午後３時まで、表示期間を設定しないなど、単発表示または繰り返し表示の条件を自由に設定できることを特徴とするホームページ予約自動更新システム。
【請求項４】
インターネット上のホームページの一部または全ての更新情報を予め自動更新の対象となるホームページと連動したデータベースに登録しておき、その登録情報に基づいて自動更新するシステムにおいて、前記データベースへの新規登録及び既存の登録情報を編集及び削除する際に、ＦＴＰソフトを用いる必要がなく汎用のブラウザから操作できることを特徴とするホームページ予約自動更新システム。
【請求項５】
インターネット上のホームページの一部または全ての更新情報を予め自動更新の対象となるホームページと連動したデータベースに登録しておき、その登録情報に基づいて自動更新するシステムにおいて、更新者は登録する更新情報に関して、ＨＴＭＬタグを記述するＨＴＭＬモードと、ＨＴＭＬタグを記述しないテキストモードの２種類から選択できる。これによりＨＴＭＬタグの知識を習得していない更新者でも文章または文字情報の更新ができることを特徴とするホームページ予約自動更新システム。
【請求項６】
インターネット上のホームページの一部または全ての更新情報を予め自動更新の対象となるホームページと連動したデータベースに登録しておき、その登録情報に基づいて自動更新するシステムにおいて、更新情報をデータベースに登録する際に実際のホームページ上での表示状態を確認できるプレビュー機能を有することを特徴とするホームページ予約自動更新システム。
【請求項７】
インターネット上のホームページの一部または全ての更新情報を予め自動更新の対象となるホームページと連動したデータベースに登録しておき、その登録情報に基づいて自動更新するシステムにおいて、ホームページ予約自動更新システムにアクセスする際のアクセスパスワードと更新者の利用ブラウザや利用ホストなどの環境変数を設定でき、それらの条件を満たさない更新者はホームページ予約自動更新システムにアクセスできないことを特徴とするホームページ予約自動更新システム。
【請求項８】
インターネット上のホームページの一部または全ての更新情報を予め自動更新の対象となるホームページと連動したデータベースに登録しておき、その登録情報に基づいて自動更新するシステムにおいて、更新者が更新情報の新規登録及び既存の更新情報の編集及び既存の更新情報の削除等の操作を行った場合、任意の電子メールアドレスにその操作内容及び当該更新者が利用していたブラウザや利用ホストなどの環境変数を通知させることができる。これにより、遠隔地にいる第三者も操作状況を把握できることを特徴とするホームページ予約自動更新システム。
【請求項９】
インターネット上のホームページの一部または全ての更新情報を予め自動更新の対象となるホームページと連動したデータベースに登録しておき、その登録情報に基づいて自動更新するシステムにおいて、主となる更新者が登録されている登録情報のうち重要と判断したものについて登録項目ごとに編集パスワードを設定することができる。これにより操作に不慣れな他の更新者の誤操作による登録情報の編集及び削除を防ぐことができることを特徴とするホームページ予約自動更新システム。
【発明の詳細な説明】
【０００１】
【発明が属する技術分野】
本発明は、インターネット上のホームページの一部または全ての更新情報を、前記データベース内の登録情報の識別番号及び表示期間条件に対応した特定の更新情報と連動して自動更新する、ホームページ予約自動更新方法及びホームページ予約自動更新システムに関する。
【０００２】
【従来の技術】
従来のホームページ更新方法だと、ホームページ担当者が表示内容を更新する日時に合わせて実際に更新作業をする必要があり、更新作業に要する時間や回数も更新件数に比例して多くなっていた。ホームページの更新作業自体にもＨＴＭＬタグやＦＴＰソフトといった専門知識が必要であった。
【０００３】
【発明が解決しようとする課題】
中小企業や個人事業では、インターネット上のホームページの更新をするのに必要なＨＴＭＬタグやＦＴＰソフトによるウェブサーバーへのアップロードといった専門知識を持つ人材の確保が難しく、インターネット上のホームページの更新がほとんどできないのが実情である。このことから中小企業または個人事業内のホームページ担当者にホームページの更新及び管理の負担が集中しやすく、ホームページ担当者または所属部署または企業全体の業務効率低下や企業イメージ低下の要因となっていた。
【０００４】
毎日、毎週、毎月など一定期間内に繰り返し表示させる同一の更新情報を更新する際にもその都度毎回更新作業をする必要があり更新作業に多大なコストと時間が必要であった。
【０００５】
インターネット上のホームページで頻繁に更新される情報の種類には、その更新情報の製作にＨＴＭＬタグを必要としない単純な文章及び文字情報が多いにもかかわらず、中小企業または個人事業ではＨＴＭＬタグやＦＴＰソフトによるウェブサーバーへのアップロードといった専門知識を持つ人材の確保が難しいために外部業者に委託せざるを得ず、ホームページ更新のコストが大きくなる状態となっていた。
【０００６】
【課題を解決するための手段】前記の問題点を解決する本発明は以下の通りである。
インターネット上のホームページの一部または全ての更新情報を予め自動更新の対象となるホームページと連動したデータベースに登録しておき、その登録情報に基づいて自動更新するシステムにおいて、インターネット上の自動更新の対象となるホームページに識別番号付きのコメント文を記述する第１工程と、前記ホームページの一部または全ての更新情報を、識別番号と表示期間及び繰り返し表示条件と編集パスワードと共にデータベースに登録する第２工程と、データベースの登録情報が追加、編集、削除された際に更新者または更新者とは別の管理者に電子メールで通知する第３工程と、インターネット上において前記ホームページが閲覧者に呼び出されたときに前記ホームページ内に記述された識別番号付きのコメント文をウェブサーバーのＳＳＩ機能が解釈及び実行し、当該識別番号を変数として表示判定部に引き渡す第４工程と、データベース内にウェブサーバーから引き渡された識別番号を持つ登録情報が存在するかどうか、及び当該識別番号を持つ登録情報が存在した場合は表示期間の設定がされているかどうか、及び当該識別番号を持つ登録情報に表示期間が設定されていた場合閲覧者が前記ホームページにアクセスした日時が表示期間の条件を満たしているかどうかを判定する第５工程と、識別番号及び設定された表示条件を満たしていた場合に、該当する更新情報を送出し前記ホームページの識別番号付きのコメント文が記述されていた部分に表示させ、識別番号及び設定された表示条件を満たしていなかった場合は該当する更新情報を送出しない第６工程と、６段階の工程を特徴とする。
【０００７】
インターネット上のホームページの一部または全ての更新情報を予め自動更新の対象となるホームページと連動したデータベースに登録しておき、その登録情報に基づいて自動更新するシステムにおいて、データベースに登録されている任意の表示期間または繰り返し表示条件に応じて前記ホームページを自動更新できることを特徴とするホームページ予約自動更新システム。
【０００８】
インターネット上のホームページの一部または全ての更新情報を予め自動更新の対象となるホームページと連動したデータベースに登録しておき、その登録情報に基づいて自動更新するシステムにおいて、データベースに登録する任意の表示期間または繰り返し表示条件は設定することもしないことも選択でき、設定する場合は２００２年１２月３日から２００２年１２月５日までの終日、２００２年１２月３日から２００２年１２月５日までの毎日午前６時から午後３時まで、２００２年１２月３日から２００３年３月１０日までの毎週土曜日の終日、２００２年１２月３日から２００３年３月１０日までの毎月５日の終日、２００２年１２月３日から２００３年３月１０日までの毎月末の３日間の終日、期間を指定せずに毎週月曜日の午前６時から午後３時まで、表示期間を設定しないなど、単発表示または繰り返し表示の条件を自由に設定できることを特徴とするホームページ予約自動更新システム。
【０００９】
インターネット上のホームページの一部または全ての更新情報を予め自動更新の対象となるホームページと連動したデータベースに登録しておき、その登録情報に基づいて自動更新するシステムにおいて、前記データベースへの新規登録及び既存の登録情報を編集及び削除する際に、ＦＴＰソフトを用いる必要がなく汎用のブラウザから操作できることを特徴とするホームページ予約自動更新システム。
【００１０】
インターネット上のホームページの一部または全ての更新情報を予め自動更新の対象となるホームページと連動したデータベースに登録しておき、その登録情報に基づいて自動更新するシステムにおいて、更新者は登録する更新情報に関して、ＨＴＭＬタグを記述するＨＴＭＬモードと、ＨＴＭＬタグを記述しないテキストモードの２種類から選択できる。これによりＨＴＭＬタグの知識を習得していない更新者でも文章または文字情報の更新ができることを特徴とするホームページ予約自動更新システム。
【００１１】
インターネット上のホームページの一部または全ての更新情報を予め自動更新の対象となるホームページと連動したデータベースに登録しておき、その登録情報に基づいて自動更新するシステムにおいて、更新情報をデータベースに登録する際に実際のホームページ上での表示状態を確認できるプレビュー機能を有することを特徴とするホームページ予約自動更新システム。
【００１２】
インターネット上のホームページの一部または全ての更新情報を予め自動更新の対象となるホームページと連動したデータベースに登録しておき、その登録情報に基づいて自動更新するシステムにおいて、ホームページ予約自動更新システムにアクセスする際のアクセスパスワードと更新者の利用ブラウザや利用ホストなどの環境変数を設定でき、それらの条件を満たさない更新者はホームページ予約自動更新システムにアクセスできないことを特徴とするホームページ予約自動更新システム。
【００１３】
インターネット上のホームページの一部または全ての更新情報を予め自動更新の対象となるホームページと連動したデータベースに登録しておき、その登録情報に基づいて自動更新するシステムにおいて、更新者が更新情報の新規登録及び既存の更新情報の編集及び既存の更新情報の削除等の操作を行った場合、任意の電子メールアドレスにその操作内容及び当該更新者が利用していたブラウザや利用ホストなどの環境変数を通知させることができる。これにより、遠隔地にいる第三者も操作状況を把握できることを特徴とするホームページ予約自動更新システム。
【００１４】
インターネット上のホームページの一部または全ての更新情報を予め自動更新の対象となるホームページと連動したデータベースに登録しておき、その登録情報に基づいて自動更新するシステムにおいて、主となる更新者が登録されている登録情報のうち重要と判断したものについて登録項目ごとに編集パスワードを設定することができる。これにより操作に不慣れな他の更新者の誤操作による登録情報の編集及び削除を防ぐことができることを特徴とするホームページ予約自動更新システム。
【００１５】
【発明の実施の形態】
【００１６】
図１は本発明の一実施形態を示す。
【００１７】
図１において、更新者７はウェブサーバー９内に格納されている自動更新対象のホームページ１内に識別番号付きのコメント文を記述する。
【００１８】
更新者７はウェブサーバー９内に格納されているホームページ予約自動更新システムのデータ登録編集部３からホームページ１の一部または全ての更新情報を登録する。登録する情報には識別番号と表示させる更新情報と表示期間及び繰り返し表示条件と編集パスワードと備考を設定できる。
【００１９】
更新者７が登録する更新情報の内容は、更新者７のＨＴＭＬタグの知識量または習熟度により、ＨＴＭＬタグを記述するＨＴＭＬモードと、ＨＴＭＬタグを記述しないテキストモードの２種類から選択できる。
【００２０】
更新者７が登録する更新情報の表示期間は、例えば２００２年１２月３日から２００２年１２月５日までの終日、２００２年１２月３日から２００２年１２月５日までの毎日午前６時から午後３時まで、２００２年１２月３日から２００３年３月１０日までの毎週土曜日の終日、２００２年１２月３日から２００３年３月１０日までの毎月５日の終日、２００２年１２月３日から２００３年３月１０日までの毎月末の３日間の終日、期間を指定せずに毎週月曜日の午前６時から午後３時までなど、単発表示または繰り返し表示と自由に設定できる。
【００２１】
更新者７がホームページ予約自動更新システムに登録する際に、入力した更新情報の実際のホームページ上での表示状態や各種表示条件をプレビューすることができ、更新者７はプレビューの結果問題がなければ登録する。登録された情報はデータベース部４に蓄積される。更新者７がホームページ予約自動更新システムで行った操作内容はホームページ１の管理者８に電子メールで通知される。
【００２２】
データベース部４に蓄積された登録情報は後から任意に編集及び削除が可能だが、更新者７が編集パスワードと共に登録した登録情報は該当するパスワードに合致する編集パスワードを入力しない限り他の更新者は編集及び削除をすることができない。
【００２３】
閲覧者６がホームページ１を閲覧したときに、ホームページ１内に記述されていた識別番号付きのコメント文がウェブサーバー９のＳＳＩ機能によって解釈及び実行され、当該識別番号を変数としてホームページ予約自動更新システムに引き渡される。ホームページ予約自動更新システムが起動及び実行した結果、ホームページ１内の識別番号付きのコメント文が記述されていた部分にホームページ予約自動更新システムからウェブサーバー９に送出された更新情報が表示される。識別番号と表示条件が合致しない場合は何も表示されない。
【００２４】
図２は本発明の一連動作を示す。
【００２５】
予め自動更新対象のホームページ１には識別番号付きのコメント分が記述してある。
【００２６】
ステップＳ１において、更新者７はホームページ予約自動更新システムへデータ登録編集部３から前記ホームページ１の一部または全ての更新情報を登録し、登録情報はデータベース部４に格納される。
【００２７】
ステップＳ２において、更新者７はデータ登録編集部３から必要に応じてデータベース部４内に登録されている登録情報を編集または削除する。
【００２８】
ステップＳ３において、閲覧者６がホームページ１にアクセスする。
【００２９】
ステップＳ４において、ホームページ１へのアクセスを検出したウェブサーバー９は、ホームページ１内に記述された識別番号付きのコメント文をウェブサーバー９のＳＳＩ機能により解釈及び実行し、当該識別番号を変数として本システムに引き渡し起動する。表示判定部５はデータベース部４内にウェブサーバー９から引き渡された識別番号と同一の識別番号を持つ登録情報が存在するかどうかを判定する。当該識別番を持つ登録情報がデータベース部４内に存在しなかった場合はこの時点で処理終了となり、ホームページ１には何も表示されない。当該識別番号付きのコメント文はＨＴＭＬソース上から消滅した状態となる。当該識別番を持つ登録情報がデータベース部４内に存在した場合はステップＳ５に移る。
【００３０】
ステップＳ５において、表示判定部５は当該識別番号を持つ登録情報に表示期間の設定がされているかどうかを判定する。表示期間の設定がされていなければ恒久的表示扱いとなり、当該識別番号を持つ登録情報の更新情報がウェブサーバー９に送出され、ホームページ１の当該識別番号付きのコメント文が記述されていた位置に当該識別番号を持つ登録情報の更新情報が表示される。表示期間の設定がされていた場合はステップＳ６に移る。
【００３１】
ステップＳ６において、表示判定部５は当該識別番号を持つ登録情報に設定されている表示期間と閲覧者６がホームページ１にアクセスした日時を比較し、当該識別番号を持つ登録情報に設定されている表示期間の条件を満たせば、当該識別番号を持つ登録情報の更新情報がウェブサーバー９に送出され、ホームページ１の当該識別番号付きのコメント文が記述されていた位置に当該識別番号を持つ登録情報の更新情報が表示される。閲覧者６がホームページ１にアクセスした日時が当該識別番号を持つ登録情報に設定されている表示期間の条件を満たさなかった場合はこの時点で処理終了となり、ホームページ１には何も表示されない。当該識別番号付きのコメント文はＨＴＭＬソース上から消滅した状態となる。
【００３２】
【発明の効果】本発明は以上説明したように構成されているので、以下に記載されている効果を奏する。
【００３３】
更新者は従来から行われてきたホームページの更新日時及び回数に合わせて実際に更新作業をすることから発生する多大なコストと時間を必要としなくなる。
【００３４】
更新者にＨＴＭＬタグやＦＴＰソフトといった知識が無くてもホームページの文字情報の更新が可能になるので、ホームページの更新作業を外部業者に委託するコストが節減される。同時にＨＴＭＬタグを誤って記述することによるホームページの表示の不具合も解消する。
【００３５】
ホームページに将来表示させる更新情報や、繰り返し表示させる更新情報を前もって登録しておくことにより、ホームページの更新管理を一元化及び簡略化し更新管理業務の効率を改善する。これによりホームページ管理コストの大幅な軽減に繋がる。
【００３６】
とくにホームページに同じ内容の情報を繰り返し定期的に表示させる場合、本システムに一度登録しておけばその後は無人で半永久的に自動更新をするのでホームページ更新管理の時間とコストを大幅に削減できる。
【００３７】
本システムでの操作内容を第三者に電子メールで通知することにより、第三者は該当するホームページの更新状況を把握することができる。
【００３８】
本システムの起動にはウェブサーバーのＳＳＩ機能を利用しているので、表示されたホームページのＨＴＭＬソースを見ても本システムから自動的に更新された痕跡を発見することはできない。これにより本システムの存在をわからなくし、悪意ある第三者による本システムの不正な利用を未然に防ぐことができる。
【図面の簡単な説明】
【図１】本発明の一実施形態のブロック図である。
【図２】本発明の一処理動作のフローチャートである。
【符号の説明】
１    自動更新対象ホームページ
２    本システム
３    データ登録編集部
４    データベース部
５    表示判定部
６    閲覧者
７    更新者
８    管理者
９    ウェブサーバー
【図１】
2004178329.tif 000003
【図２】
2004178329.tif 000004